(57)【要約】【課題】  電磁波を検知した場合に音声出力を小さくすることにより、耳障りな雑音を軽減（抑制）する。【解決手段】  コンデンサマイクロホンユニットを音声出力回路およびマイクケーブルを介して電源回路やミキサ回路などの外部機器に接続して使用されるコンデンサマイクロホンにおいて、高周波検波手段１１０およびその高周波検波出力により発光する発光手段１２０を有する受信アンテナ１００と、音声出力回路から外部機器に至る音声信号出力ライン２００のホット側線路Ｈとコールド側線路Ｃとの間に並列的に接続され、発光手段１２０から出射される光を受光して抵抗値が低下する光導電素子２１０とを備える。【選択図】  図１
2006237921.tif 000002
【特許請求の範囲】
【請求項１】
コンデンサマイクロホンユニットを音声出力回路およびマイクケーブルを介して電源回路やミキサ回路などの外部機器に接続して使用されるコンデンサマイクロホンにおいて、
高周波検波手段およびその高周波検波出力により発光する発光手段を有する受信アンテナと、上記音声出力回路から上記外部機器に至る音声信号出力ラインのホット側とコールド側との間に並列的に接続され、上記発光手段から出射される光を受光して抵抗値が低下する光導電素子とを備えていることを特徴とするコンデンサマイクロホン。
【請求項２】
上記受信アンテナが、上記高周波検波手段と上記発光手段とを直列に接続してなるループコイルからなることを特徴とする請求項１に記載のコンデンサマイクロホン。
【請求項３】
上記高周波検波手段がショットキーダイオードであり、上記発光手段が可視光を発光する発光ダイオードであることを特徴とする請求項１または２に記載のコンデンサマイクロホン。
【請求項４】
上記光導電素子が、ＣｄＳ（硫化カドミニウム）素子もしくはフォトトランジスタからなることを特徴とする請求項１，２または３に記載のコンデンサマイクロホン。
【請求項５】
上記光導電素子が、上記マイクケーブルのホット側とコールド側との間に並列的に接続されていることを特徴とする請求項１ないし４のいずれか１項に記載のコンデンサマイクロホン。
【発明の詳細な説明】
【技術分野】
【０００１】
本発明はコンデンサマイクロホンに関し、さらに詳しく言えば、外来電磁波に起因して発生する雑音を軽減する技術に関するものである。
【背景技術】
【０００２】
図２に示すように、通常、コンデンサマイクロホン１０は、平衡シールドケーブルからなるマイクロホンケーブル２０を介してファントム電源やミキサ回路などの外部機器３０と接続して使用される。
【０００３】
この例でのコンデンサマイクロホン１０は、シールドとして機能する例えば黄銅合金からなる円筒状のマイク筐体１１を備え、マイク筐体１１の一端側にコンデンサマイクロホンユニット１２が金網からなる保護カバー１３を被せられた状態で支持されている。図示しないが、コンデンサマイクロホンユニット１２には、インピーダンス変換器としてのＦＥＴ（電界効果トランジスタ）が内蔵されている。
【０００４】
マイク筐体１１には、音声出力回路を含む回路基板１４が内蔵されている。マイクロホンケーブル２０を着脱可能とする場合には、マイクロホンケーブル２０の両端に雄側コネクタ２１，２１が設けられ、マイク筐体１１の他端側と外部機器３０側とに雌側コネクタ１５，３１が設けられる。
【０００５】
これらのコネクタは、ＪＥＩＴＡ（社団法人日本電子機械工業会）ＲＣ−５２３６「音響機器用ラッチロック式丸型コネクタ」で規定される３ピンタイプのコネクタであって、図示しないが、それぞれ接地用の１番ピン，信号のホット側の２番ピン，信号のコールド側の３番ピンを備えている。
【０００６】
雄側コネクタ２１，２１の各１番ピンはマイクロホンケーブル２０のシールド被覆線と接続される。また、マイクロホン１０側の雌側コネクタ１５の１番ピンはマイク筐体１１と接続され、外部機器３０側の雌側コネクタ３１の１番ピンは外部機器３０の接地に接続される。
【０００７】
したがって、コンデンサマイクロホン１０をマイクロホンケーブル２０を介して外部機器３０に接続すると、マイク筐体１１はマイクロホンケーブル２０のシールド被覆線とともに、シールドとして機能する。
【発明の開示】
【発明が解決しようとする課題】
【０００８】
しかしながら、強い電磁波がマイク筐体１１やマイクロホンケーブル２０に加えられると、その電磁波による高周波電流がコネクタ１５，２１を介してマイク筐体１１内に入り込み、コンデンサマイクロホンユニット１２内のＦＥＴや回路基板１４に実装されている音声出力回路の半導体素子で検波され、可聴周波数の雑音としてマイクロホンから出力されてしまうことがある。
【０００９】
近年、携帯電話機が急速に普及しているが、携帯電話機からは発信時に高い周波数（数ＧＨｚ程度）の電磁波が放射され、しかもその放射電界強度が大きいため、図２に示すようにマイクロホン近傍で携帯電話機４０が使用された場合に、その強い電磁波により雑音が発生しやすい。
【００１０】
これを防止する方法の一つとして、コネクタの接続部分に例えば板バネなどの導電部材を介在させて接続部分の低インピーダンス化を図る方法が知られているが、機械的な接触であるため、低インピーダンス化を図るにしても限界があり、必ずしも有効と言えない場合がある。
【００１１】
したがって、本発明の課題は、電磁波を検知した場合に音声出力を小さくすることにより、耳障りな雑音を軽減（抑制）するようにしたコンデンサマイクロホンを提供することにある。
【課題を解決するための手段】
【００１２】
上記した課題を解決するため、本発明は、コンデンサマイクロホンユニットを音声出力回路およびマイクケーブルを介して電源回路やミキサ回路などの外部機器に接続して使用されるコンデンサマイクロホンにおいて、高周波検波手段およびその高周波検波出力により発光する発光手段を有する受信アンテナと、上記音声出力回路から上記外部機器に至る音声信号出力ラインのホット側とコールド側との間に並列的に接続され、上記発光手段から出射される光を受光して抵抗値が低下する光導電素子とを備えていることを特徴としている。
【００１３】
本発明において、上記受信アンテナは上記高周波検波手段と上記発光手段とを直列に接続してなるループコイルであることが好ましい。また、上記高周波検波手段がショットキーダイオードであり、上記発光手段には可視光を発光する発光ダイオードが好ましく採用される。
【００１４】
また、上記光導電素子には、ＣｄＳ（硫化カドミニウム）素子もしくはフォトトランジスタを用いることができる。上記光導電素子は、音声出力回路の出力端子間に並列に接続されてもよいが、既存のマイクロホンにも適用可能とするうえで、上記マイクケーブルのホット側とコールド側との間に並列的に接続されることが好ましい。
【発明の効果】
【００１５】
本発明によれば、受信アンテナにより電磁波が検知されると発光手段が発光し、その光により光導電素子の抵抗値が低下することにより、音声信号出力ラインのホット側とコールド側とが短絡（導通）状態となるため、仮に電磁波による雑音が発生したとしても、音声出力が小さくなるに伴って雑音も絞り込まれる。よって、耳障りな雑音による不快感をなくすことができる。
【発明を実施するための最良の形態】
【００１６】
次に、図１により本発明の実施形態について説明するが、本発明はこれに限定されるものではない。図１は本発明の要部を示す模式図であるが、コンデンサマイクロホンの全体的な構成およびマイクケーブルなどについては、先に説明した図２を一例として参照されたい。
【００１７】
本発明のコンデンサマイクロホンは、電磁波を受信する受信アンテナ１００と、音声信号出力ライン２００のホット側線路Ｈとコールド側線路Ｃとの間に並列的に接続される光導電素子２１０とを備えている。
【００１８】
受信アンテナ１００は、もっとも構成が簡単なループコイルであることが好ましく、このループコイル内には高周波検波手段１１０と、その検波出力により発光する発光手段１２０とが直列に含まれる。
【００１９】
この例において、高周波検波手段１１０には高周波検波能力に優れているショットキーダイオード（Ｓｃｈｏｔｔｋｙ  Ｄｉｏｄｅ）１１１が用いられ、発光手段１２０には発光ダイオード１２１が用いられている。
【００２０】
光導電素子２１０は、発光ダイオード１２１の光を受光し、その光の強度によって抵抗値が低下する可視光導電素子で、例えばＣｄＳ（硫化カドミニウム）素子やフォトダイオードを用いることができる。
【００２１】
音声信号出力ライン２００に対する光導電素子２１０の接続個所は、図２に示すコンデンサマイクロホンユニット１２から外部機器３０に至るまでの間であれば任意に選択されてよく、例えば回路基板１４に搭載されている図示しない音声出力回路の出力端子間（出力コネクタ１５の２番ピンと３番ピンとの間）であってもよいが、既存のマイクロホンへの適用を考えると、マイクケーブル２０のホット側線路Ｈとコールド側線路Ｃとの間であることが好ましい。
【００２２】
受信アンテナ１００は、例えばマイク筐体１１の所定個所にベルトや面状ファスナなどの適当な取付具により取り付けられてよい。このように、受信アンテナ１００がマイク筐体１１に取り付けられる場合、光導電素子２１０は、その配線を引き回して発光ダイオード１２１の近傍に光学的に結合するように配置される。なお、光ファイバーを用いて光導電素子２１０と発光ダイオード１２１とを結合することもできる。
【００２３】
本発明によれば、例えば携帯電話機から強い電磁波が受信アンテナ１００に加えられると、その電磁波が高周波検波手段１１０（この例ではショットキーダイオード１１１）により検波され、その検波出力により発光手段１２０（この例では発光ダイオード１２１）が発光する。
【００２４】
この光が光導電素子２１０によって受光されると、その受光量に比例して光導電素子２１０の抵抗値が低下する。これにより、音声信号出力ライン２００のホット側線路Ｈとコールド側線路Ｃとが導通し、音声出力が小さくなる１種のミュートがかけられた状態となる。したがって、仮に電磁波による雑音が発生したとしても、音声出力が小さくなるに伴って雑音も絞り込まれることになるため、耳障りな雑音による不快感をなくすことができる。
【図面の簡単な説明】
【００２５】
【図１】本発明の要部を示す模式図。
【図２】コンデンサマイクロホンの一般的な使用状態を示す模式図。
【符号の説明】
【００２６】
１０  コンデンサマイクロホン
１１  マイク筐体
１２  コンデンサマイクロホンユニット
１４  回路基板
１５  出力コネクタ
２０  マイクケーブル
３０  外部機器
４０  携帯電話機
１００  受信アンテナ
１１０  高周波検波手段
１１１  ショットキーダイオード
１２０  発光手段
１２１  発光ダイオード
２００  音声信号出力ライン
２１０  光導電素子
Ｈ  ホット側線路
Ｃ  コールド側線路
【図１】
2006237921.tif 000003
【図２】
2006237921.tif 000004